(57)【要約】【課題】安価で軽量な車いす用簡易ジャッキを提供し、車いすが室外から室内に移動する際の車輪の清掃を省力化する。【解決手段】  左右自在に移動可能な車輪を支点として、上方の車体支持部品を後方のより長い操作部により、てこの原理を利用した少ない力で車いすをジャッキアップ可能な簡易ジャッキであり、ジャッキアップ動作時にも車輪の移動により不必要な車いすの前後移動を伴わず、ジャッキアップ時の車体支持部の角度が垂直より後方に傾斜していることにより車いすの安定性を確保する。【選択図】図１
2017185955.tif 000002
【特許請求の範囲】
【請求項１】
車いすの片側前後輪をてこの原理により少ない力で持ち上げることが出来るジャッキであって、本体の車軸穴を貫通した車軸により両輪間を左右自在に移動可能な車輪を持ち、車軸と垂直かつ上端に車体支持部品を有する車体支持部と、車軸と直角かつ車体支持部と略直角であり、車軸と車体支持部品間より長く後端の上部にハンドルを有する操作部を持ち、両輪と操作部が設置している時の車軸孔と車体支持部品を結ぶ線の角度が垂直より後方に傾斜していることを特徴とする、車いす用簡易ジャッキ。
【請求項２】
前記車体支持部の長さが調節可能である、請求項１に記載の車いす用簡易ジャッキ。
【請求項３】
前記操作部の長さが、非使用時又は運搬時に縮長可能である、請求項１〜２に記載の車いす用簡易ジャッキ。
【発明の詳細な説明】
【技術分野】
【０００１】
本発明は、車いすの車輪清掃時に片側前後輪を簡単に持ち上げることが出来る、簡易ジャッキに関するものである。
【背景技術】
【０００２】
従来より病気や怪我等を理由として二足歩行が困難な人が、移動する手段として車いすを利用する機会は多い。更に近年、高齢のために歩行が困難になった人についても車いすの利用が広がっている。日常生活の中で車いすを利用するに際し、日に何度も遭遇するのが室外から室内への移動である。健常者であれば靴を脱ぐことで簡単に室外の土や水を室内に持ち込むことが避けられるものの、車いすの場合室外も室内も同じ車輪で移動するため、室外から室内へ移動する際には、車輪の清掃が不可欠である。
【０００３】
しかし車輪の大部分は露出しているとは言え、接地部付近についてはそのままでは清掃することが出来ない。従って何らかの形で接地部分を含めた車輪全体が清掃出来るようにする必要がある。
そのために専用の装置を設置することが考えられている（特許文献１〜４）。しかしこれらは高価で場所を取り、一般家庭を始め全ての場所に設置するわけにはいかない。
【０００４】
持ち運びが出来るか又は多くの場所に常備出来るほど簡易である方法には、まず何の道具も使わずに片輪を持ち上げる方法として、補助者がハンドル部を横に力を加えることにより反対側の車輪を浮かすこと出来るが、車重を支える大きな力が必要である上に、その時の剪断力が車いす自体へダメージを与える点と、車いすを支える人と清掃をする人の２人が必要になる点で問題がある。自動車用のジャッキを使う方法については、かなりの重量を持ち上げられる一方、ジャッキ自体の重量が重く、操作に要する時間が掛かる点で問題がある（特許文献５）。重心の近辺になる後輪両輪を足の操作によるてこの原理で持ち上げるジャッキもあるが、車重の大半を一度に持ち上げるため、足ではあってもかなりの力を要し、操作時に上下移動と同時に起こる車いすの前後移動による不慮の事故も懸念される（特許文献６）。
【先行技術文献】
【特許文献】
【０００５】
【特許文献１】特開平８−３０８８７９号公報
【０００６】
【特許文献２】特開２００１−１０６０３６号公報
【０００７】
【特許文献３】特開２００２−５３０１３号公報
【０００８】
【特許文献４】特開２００３−１６４４９１号公報
【０００９】
【特許文献５】特開２０１１−１５６０８７号公報
【００１０】
【特許文献６】特開２０１３−６６６３３号公報
【発明の概要】
【発明が解決しようとする課題】
【００１１】
持ち運びが出来るか又は多くの場所に常備出来る安価、軽量かつ簡易な器具により、容易に車いすの車輪の清掃が出来ることを実現する。
【課題を解決するための手段】
【００１２】
左右自在に移動可能な車輪を支点として、上方の車体支持部品を後方のより長い操作部により、てこの原理を利用した少ない力で車いすをジャッキアップ可能にし、ジャッキアップ動作時にも車輪の移動により不必要な車いすの前後移動を伴わず、ジャッキアップ時の車体支持部の角度が垂直より後方に傾斜していることにより車いすの安定性を確保する。
【発明の効果】
【００１３】
本発明の簡易ジャッキによって、車いすの補助者は少ない力で乗車中の車いすをジャッキアップすることが出来、短時間かつ簡単に車輪の清掃をすることが出来る。
また清掃だけでなく、車いすの修理、調整の際にも本発明の簡易ジャッキは同様に有用である。
【図面の簡単な説明】
【００１４】
【図１】図１は簡易ジャッキの使用状態を示した図面代用写真である。（実施例１）
【図２】図２は簡易ジャッキの全体図を示した図面である。
【図３】図３は車輪の特徴を示した図面である。
【図４】図４は車体支持部の長さ調節機能を示した図面である。
【図５】図５は各種ハンドルの形状を示した図面である。
【図６】図６は車体支持部の角度を示した図面である。
【図７】図７は本発明による車体の上下移動を示した図面である。
【発明を実施するための形態】
【００１５】
以下本発明の簡易ジャッキの理解を深めるために、具体的な説明を記すが、本発明はこれらの個々の提示に限定されるものではなく、その技術思想において実現されるものは全て本発明に含まれる。
【００１６】
まず、本発明の簡易ジャッキの構造について記載する。（図２参照）
本発明の本体と呼べる部分は、略Ｌ字型でありかつ車体支持部よりも操作部が長く、てこの原理で少ない力で動作可能なものである。また車体支持部の最下端に車軸穴を有する。材質は問わないが、十分な強度と軽量化を両立出来る材質が好ましい。端的には中空スチールパイプを溶接したものが強固で好ましいが、板状の材料から略Ｌ字型に一体型として切り出すことも可能である。材質によっては、略Ｌ字型の内角に補強部材を有することも有用である。車体支持部、操作部とも必ずしも棒状である必要はなく、意匠の観点で自由な形状を有することも可能である。
【００１７】
車輪は本体の車軸穴を貫通した車軸の両端に車輪を有し、その幅は本発明の簡易ジャッキの横安定性を維持出来る程度で良い。車軸は車軸穴を通して左右に移動可能であり、車いすの右側に用いる時には車輪を左に、車いすの左側に用いる時には車輪を右に移動させることによって、車いすの後輪と簡易ジャッキの車輪が干渉することがない。そのため簡易ジャッキの車体支持部は、車いすのフレーム下部を真下から支持する最も安定な状態を維持することが出来る。車輪の材質は問わず、またホイールとタイヤで別の素材を使った構造の車輪を用いることも出来る。（図３参照）
【００１８】
車体支持部品は車いすフレーム下部を安定して支えるための構造を持ち、半円形やＵ字型の形状が好ましい。その内径は通常の車いすのフレームの太さを考慮して選択する。材質はフレームを傷つけない柔らかい素材にするか、堅い素材の表面を柔らかい緩衝材で包むことが好ましい。
【００１９】
車体支持部は、特定の車いすにしか使わないのであれば固定の長さのもので構わないが、その場所に常備するなど不特定多数の車いすに使う場合は、用いる車いすのフレーム下部の高さに合わせた長さ調節機能を持つことが好ましい。長さは車いす支持状態で車輪が空転可能な長さ以上であれば良く、通常はあまり長くしない方がより少ない力で操作出来るのでより好ましい。長さ調節機能はどの様な方法であっても良く、異なる長さの複数の部品を付け替える方法、ネジにより可変長とする方法、複数の長さに対応する穴を持つ部品の一つの穴にピンを刺して固定する方法、及びこれらを組み合わせた方法など、工作技術で通常考えられる方法を採ることが可能である。（図４参照）
【００２０】
操作部は車体支持部より相対的に長いものであり、てこの原理により少ない力で車いすを上昇、支持することが出来る。したがって車体支持部よりある程度長い一方、重量や取り回し、移動の点から長すぎる物は好ましくない。通常車いすの重心は後輪より少し前の位置にあるが、車いすの後方から操作部を操作して、車体支持部が容易に車いすの重心に到達出来る長さがあれば十分である。
【００２１】
通常操作部は一体型である方が強度的には好ましいが、収納や可搬性を考えた場合、何らかの方法で非使用時の長さを短くすることも可能である。短くする方法としては、複数の部品に分割する方法、ラジオのアンテナのように複数径のパイプを差し込んで伸縮可能にする方法、途中で折り曲げ可能にしつつ使用時には固定出来る方法など、工作技術で通常考えられる方法を採ることが可能である。
【００２２】
ハンドルは操作部の後端上部に取り付け、片手で握って操作をする。車いすを持ち上げる時はハンドルを下方やや前に押し下げ、車いすを下げる時は上方やや後ろに持ち上げるため、両方向に力の入りやすい形状であれば、どの様な形状でも構わない。材質についても必要な強度を有すれば何でも良く、堅く細いフレームと柔らかく太いグリップを別な材料で作ることも可能である。（図５参照）
【００２３】
車体支持部と操作部の角度は相対的であり、車体支持時には車輪と共に操作部が接地しているが、その時に車体支持部品は車軸より後方に位置しており、車軸から車体支持部品までの直線はわずかに後傾するように設計する。これにより車いすの重量により簡易ジャッキを下に押しつける力は、簡易ジャッキの操作部をより地面により強く押しつける形で安定性を増し、多少の重心移動で簡易ジャッキが外れる心配をより小さくしている。（図６参照）
【００２４】
本発明の簡易ジャッキ使用時に車体支持部品が接する位置は、車いすのフレーム下部が好ましい。車いすの前後方向の位置としては乗車時の重心のある後輪車軸より多少前であることが好ましいが、取付位置の形状の問題などでそれ以外の例えば後輪車軸より多少後ろであっても、簡易ジャッキと車いすの反対側前後輪による三点支持になるため、必要な安定性は保たれ得る。
【００２５】
次に、本発明の簡易ジャッキの使用方法について記載する。
不特定多数の車いすに使用する場合、まず車体支持部の長さを調節する。車体支持部品が接するフレーム下部の高さに合わせ、わずかにそれよりも長い状態に調節する。なお、車体を持ち上げた状態でタイヤの下部に指が入らないとしても、タイヤを回転させて清掃することが出来るので、必ずしもそれ以上高くする必要はない。
【００２６】
次に簡易ジャッキの車輪を調節する。車いすの右側前後輪を清掃する場合には、右後輪と干渉しないように、簡易ジャッキの車輪を左に寄せる。
【００２７】
調整が終わったら、車いすの後方より簡易ジャッキの車輪を転がす形で前進させ、車体支持部品が所望のフレーム位置に接するように移動させる。そして操作部を下方やや前に押し、車輪の移動により車いすの下に潜り込むようにして車いすを上昇させる。（図７参照）
【００２８】
片側前後輪の清掃が終わったら、逆の手順で操作し、反対側も同様に清掃する。
【００２９】
本発明の簡易ジャッキは構造がシンプルであるため安価に製造出来、持ち歩くことも複数の場所に置いておくことも可能である。動力も要らず消耗品もなく、てこの原理で少ない力で操作可能なため、今後増えるであろう介護の現場においても、補助者に負担を掛けず車いすの清掃が可能になる。
【００３０】
本明細書では主に手動車いす、特に折り畳み型のものについて記載しているが、これと異なる形状の車いすや異なる種類の車いすであっても、車体支持部の工夫によって同様の効果を有する簡易ジャッキが利用可能である。さらにはストレッチャーの様に車いす以外の福祉機器についても応用が可能である。
【実施例１】
【００３１】
図１は、本発明の簡易ジャッキの使用状態を表し、右後方より差し込まれた簡易ジャッキにより、車いすの右のフレーム下部が押し上げられ、右の前後輪が宙に浮いて清掃可能な状態であることが確認出来る。簡易ジャッキの両輪は左に移動しており、車いすの右後輪と干渉することがないため、フレーム下部を真下より支持することが出来る。車体支持部はわずかに後傾しているため、車いすの重量により簡易ジャッキを下に押す力は、簡易ジャッキの操作部を地面に押しつける形で安定性を増し、多少の重心移動で簡易ジャッキが外れる心配をより小さくしている。
【産業上の利用可能性】
【００３２】
本発明の簡易ジャッキは安価、軽量かつ簡易な器具であるので、個人で購入して持ち歩くことも、必要な場所全てに常備することが出来、車いすの車輪の清掃に要する労力を大幅に軽減することが出来る。
【符号の説明】
【００３３】
１    車体支持部品
２    車体支持部
３    車輪
４    操作部
５    ハンドル
６    車いすのフレーム下部
【図１】
2017185955.tif 000003
【図２】
2017185955.tif 000004
【図３】
2017185955.tif 000005
【図４】
2017185955.tif 000006
【図５】
2017185955.tif 000007
【図６】
2017185955.tif 000008
【図７】
2017185955.tif 000009
【手続補正書】
【提出日】平成28年11月24日(2016.11.24)
【手続補正１】
【補正対象書類名】明細書
【補正対象項目名】００３１
【補正方法】変更
【補正の内容】
【００３１】
図１は、本発明の簡易ジャッキの使用状態を表し、右後方より差し込まれた簡易ジャッキにより、車いすの右のフレーム下部が押し上げられ、右の前後輪が宙に浮いて清掃可能な状態であることが確認出来る。簡易ジャッキの両車輪は左に移動しており、車いすの右後輪と干渉することがないため、フレーム下部を真下より支持することが出来る。車体支持部はわずかに後傾しているため、車いすの重量により簡易ジャッキを下に押す力は、簡易ジャッキの操作部を地面に押しつける形で安定性を増し、多少の重心移動で簡易ジャッキが外れる心配をより小さくしている。
【手続補正２】
【補正対象書類名】特許請求の範囲
【補正対象項目名】全文
【補正方法】変更
【補正の内容】
【特許請求の範囲】
【請求項１】
車いすの片側前後輪をてこの原理により少ない力で持ち上げることが出来るジャッキであって、
１）本体の車軸穴を貫通した車軸の両端に車輪を有し、車軸は車軸穴を通して左右に移動可能であり、その移動範囲は左右両車輪のいずれかが本体に接触するまでであり、
２）車軸と垂直かつ上端に車体支持部品を有する車体支持部と、車軸と直角かつ車体支持部と略直角であり、後端の上部にハンドルを有し、車軸と車体支持部品間より長い操作部を持ち、
３）両車輪と操作部が接地している時の車軸穴と車体支持部品を結ぶ線の角度が垂直より後方に傾斜していることを特徴とする、車いす用簡易ジャッキ。
【請求項２】
前記車体支持部の長さが調節可能である、請求項１に記載の車いす用簡易ジャッキ。
【請求項３】
前記操作部の長さが、非使用時又は運搬時に縮長可能である、請求項１〜２に記載の車いす用簡易ジャッキ。